【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
クレジットカードの利用が不正である確率を反映したスコアを算出するためのスコアリングシステムであって、
クレジットカードの利用毎に受け付けたオーソリデータを格納するオーソリデータ格納手段と、
クレジットカードの利用者の過去のクレジットカードの利用に関する履歴データを、利用者毎に格納する履歴データ格納手段と、
前記オーソリデータ格納手段に格納されたオーソリデータに含まれる項目の項目値のカテゴリー、及び前記オーソリデータ格納手段に格納されたオーソリデータに含まれる項目と前記履歴データ格納手段に格納された履歴データに含まれる項目から生成された項目の項目値のカテゴリーについて、各々の項目におけるカテゴリー別に不正が出現した不正出現比率を特定し、前記不正出現比率からロジット値を算出して、項目毎の各々のカテゴリーに対応するロジット値を関連付けて記憶するロジット値変換テーブルと、
前記オーソリデータ格納手段に格納されたオーソリデータに含まれる項目、及び前記オーソリデータ格納手段に格納されたオーソリデータに含まれる項目と前記履歴データ格納手段に格納された履歴データに含まれる項目から生成された項目について、各々の項目の前記スコアに対する寄与度をロジスティック回帰分析により算出して、各々の項目に対応する回帰係数を関連付けて記憶する回帰係数テーブルと、
クレジットカードの利用要求にかかるオーソリデータを受け付けるオーソリデータ受付手段と、
前記利用要求を行った利用者に対応する履歴データを、前記履歴データ格納手段から取得する履歴データ取得手段と、
前記オーソリデータ受付手段が受け付けたオーソリデータに含まれる項目の項目値、及び前記オーソリデータ受付手段が受け付けたオーソリデータに含まれる項目と前記履歴データ取得手段が取得した履歴データに含まれる項目から生成された項目の項目値から、スコア算出のために必要な項目毎の項目値に対応するカテゴリーを特定するカテゴリー特定手段と、
前記ロジット値変換テーブルを参照して、前記カテゴリー特定手段の特定した各々のカテゴリーに対応するロジット値を取得するロジット値取得手段と、
前記回帰係数テーブルを参照して、前記カテゴリー特定手段でカテゴリーを特定した各々の項目に対応する回帰係数を取得する回帰係数取得手段と、
前記ロジット値取得手段の取得したロジット値に、前記ロジット値に対応する各々の項目について前記回帰係数取得手段の取得した回帰係数を乗じた値を合算し、合算した値から不正である確率を反映したスコアを算出するスコア算出手段と、
を備えることを特徴とするスコアリングシステム。
【請求項２】
前記オーソリデータ受付手段が受け付けたオーソリデータを反映して、前記オーソリデータにかかるクレジットカードの利用者に対応する前記履歴データ格納手段に格納された履歴データを更新する履歴データ更新手段を備えること
を特徴とする請求項１記載のスコアリングシステム。
【請求項３】
前記ロジット値変換テーブルには、前記オーソリデータ格納手段に格納されたオーソリデータに含まれる項目から生成された項目について、各々の項目における項目値のカテゴリー別に不正が出現した不正出現比率を特定し、前記不正出現比率からロジット値を算出して、項目毎の各々のカテゴリーに対応するロジット値が関連付けて記憶され、
前記回帰係数テーブルには、前記オーソリデータ格納手段に格納されたオーソリデータに含まれる項目から生成される項目について、各々の項目の前記スコアに対する寄与度をロジスティック回帰分析により算出して、各々の項目に対応する回帰係数が関連付けて記憶されていて、
前記カテゴリー特定手段は、前記オーソリデータ受付手段が受け付けたオーソリデータに含まれる項目から生成された項目毎の項目値に対応するカテゴリーを特定すること
を特徴とする請求項１又は２記載のスコアリングシステム。
【請求項４】
前記ロジット値変換テーブルには、前記履歴データ格納手段に格納された履歴データに含まれる項目の項目値のカテゴリー別に不正が出現した不正出現比率を特定し、前記不正出現比率からロジット値を算出して、項目毎の各々のカテゴリーに対応するロジット値が関連付けて記憶され、
前記回帰係数テーブルには、前記履歴データ格納手段に格納された履歴データに含まれる項目について、各々の項目の前記スコアに対する寄与度をロジスティック回帰分析により算出して、各々の項目に対応する回帰係数が関連付けて記憶されていて、
前記カテゴリー特定手段は、前記履歴データ取得手段が取得した履歴データに含まれる項目毎の項目値に対応するカテゴリーを特定すること
を特徴とする請求項１又は２記載のスコアリングシステム。
【請求項５】
クレジットカードの利用が不正である確率を反映したスコアを算出するためのスコアリング方法であって、
前記スコアを算出するためのコンピュータシステムには、クレジットカードの利用毎に受け付けたオーソリデータを格納するオーソリデータ格納部と、クレジットカードの利用者の過去のクレジットカードの利用に関する履歴データを、利用者毎に格納する履歴データ格納部と、が備えられていて、
前記コンピュータシステムが、前記オーソリデータ格納部に格納されたオーソリデータに含まれる項目の項目値のカテゴリー、及び前記オーソリデータ格納手段に格納されたオーソリデータに含まれる項目と前記履歴データ格納手段に格納された履歴データに含まれる項目から生成された項目の項目値のカテゴリーについて、各々の項目におけるカテゴリー別に不正が出現した不正出現比率を特定し、前記不正出現比率からロジット値を算出して、項目毎の各々のカテゴリーに対応するロジット値を関連付けて記憶するロジット値変換テーブルに記憶させるステップと、
前記コンピュータシステムが、前記オーソリデータ格納部に格納されたオーソリデータに含まれる項目、及び前記オーソリデータ格納手段に格納されたオーソリデータに含まれる項目と前記履歴データ格納手段に格納された履歴データに含まれる項目から生成された項目について、各々の項目の前記スコアに対する寄与度をロジスティック回帰分析により算出して、各々の項目に対応する回帰係数を関連付けて記憶する回帰係数テーブルに記憶させるステップと、
を有することによって、ロジット値変換テーブルと回帰係数テーブルのデータが更新され、
クレジットカードの利用が不正である確率を反映したスコアを算出する際には、
前記コンピュータシステムが、クレジットカードの利用要求にかかるオーソリデータを受け付けるオーソリデータ受付ステップと、
前記コンピュータシステムが、前記利用要求を行った利用者に対応する履歴データを、前記履歴データ格納部から取得する履歴データ取得ステップと、
前記コンピュータシステムが、前記オーソリデータ受付ステップで受け付けたオーソリデータに含まれる項目の項目値、及び前記オーソリデータ受付ステップで受け付けたオーソリデータに含まれる項目と前記履歴データ取得ステップで取得した履歴データに含まれる項目から生成された項目の項目値から、スコア算出のために必要な項目毎の項目値に対応するカテゴリーを特定するカテゴリー特定ステップと、
前記コンピュータシステムが、前記ロジット値変換テーブルを参照して、前記カテゴリー特定ステップで特定した各々のカテゴリーに対応するロジット値を取得するロジット値取得ステップと、
前記コンピュータシステムが、前記回帰係数テーブルを参照して、前記カテゴリー特定ステップでカテゴリーを特定した各々の項目に対応する回帰係数を取得する回帰係数取得ステップと、
前記コンピュータシステムが、前記ロジット値取得ステップで取得したロジット値に、前記ロジット値に対応する各々の項目について前記回帰係数取得ステップで取得した回帰係数を乗じた値を合算し、合算した値から不正である確率を反映したスコアを算出するスコア算出ステップと、
を有することを特徴とするスコアリング方法。
【請求項６】
前記コンピュータシステムが、前記オーソリデータ受付ステップで受け付けたオーソリデータを反映して、前記オーソリデータにかかるクレジットカードの利用者に対応する前記履歴データ格納部に格納された履歴データを更新する履歴データ更新ステップを有すること
を特徴とする請求項５記載のスコアリング方法。
【請求項７】
前記ロジット値変換テーブルには、前記オーソリデータ格納部に格納されたオーソリデータに含まれる項目から生成された項目について、各々の項目における項目値のカテゴリー別に不正が出現した不正出現比率を特定し、前記不正出現比率からロジット値を算出して、項目毎の各々のカテゴリーに対応するロジット値が関連付けて記憶され、
前記回帰係数テーブルには、前記オーソリデータ格納部に格納されたオーソリデータに含まれる項目から生成される項目について、各々の項目の前記スコアに対する寄与度をロジスティック回帰分析により算出して、各々の項目に対応する回帰係数が関連付けて記憶されていて、
前記カテゴリー特定ステップでは、前記オーソリデータ受付ステップで受け付けたオーソリデータに含まれる項目から生成された項目毎の項目値に対応するカテゴリーを特定すること
を特徴とする請求項５又は６記載のスコアリング方法。
【請求項８】
前記ロジット値変換テーブルには、前記履歴データ格納部に格納された履歴データに含まれる項目の項目値のカテゴリー別に不正が出現した不正出現比率を特定し、前記不正出現比率からロジット値を算出して、項目毎の各々の項目値に対応するカテゴリーに対応するロジット値が関連付けて記憶され、
前記回帰係数テーブルには、前記履歴データ格納部に格納された履歴データに含まれる項目について、各々の項目の前記スコアに対する寄与度をロジスティック回帰分析により算出して、各々の項目に対応する回帰係数が関連付けて記憶されていて、
前記カテゴリー特定ステップでは、前記履歴データ取得ステップで取得した履歴データに含まれる項目毎の項目値に対応するカテゴリーを特定すること
を特徴とする請求項５又は６記載のスコアリング方法。